(57)【要約】【課題】従来の電動送風機よりも内部の風路断面積を拡大させて、性能を向上させることが可能な電動送風機を提案する。【解決手段】電動送風機１は、オープン形の遠心ファン２と、遠心ファン２に繋がる吸込口を有して遠心ファン２を覆うファンカバー７と、遠心ファン２を回転駆動させる無整流子電動機と、遠心ファン２と電動機３との間に設けられて遠心ファン２から吹き出る空気を電動機３へ導くディフューザー５と、ディフューザー５と一体または別体のケース７１と、ファンカバー７とケース７１とを接着する接着部５１と、を備えている。ファンカバー７とケース７１との継ぎ手部８２は、ファンカバー７とケース７１とがそれぞれの全肉厚で重なることなく対面する接合面を有し、接着部５１は、ファンカバー７の接合面とケース７１の接合面とを接着する。【選択図】  図１
2020169571.tif 000002
【特許請求の範囲】
【請求項１】
オープン形の遠心ファンと、
前記遠心ファンに繋がる吸込口を有して前記遠心ファンを覆うファンカバーと、
前記遠心ファンを回転駆動させる無整流子電動機と、
前記遠心ファンと前記無整流子電動機との間に設けられて前記遠心ファンから吹き出る空気を前記無整流子電動機へ導くディフューザーと、
前記ディフューザーと一体または別体のケースと、
前記ファンカバーと前記ケースとを接着する接着部と、を備え、
前記ファンカバーと前記ケースとの継ぎ手部は、前記ファンカバーと前記ケースとがそれぞれの全肉厚で重なることなく対面する接合面を有し、
前記接着部は、前記ファンカバーの接合面と前記ケースの接合面とを接着する電動送風機。
【請求項２】
前記継手部は、前記ファンカバーの外周部に設けられる第一凹部と、前記ケースの外周部に設けられて前記第一凹部に繋がる第二凹部と、を有し、
前記接着部は、前記第一凹部および前記第二凹部に充填される請求項１に記載の電動送風機。
【請求項３】
前記ファンカバーの接合面および前記ケースの接合面のいずれか一方に設けられる凹部と、前記ファンカバーの接合面および前記ケースの接合面のいずれか他方に設けられて前記凹部に組み合わされる凸部と、を備える請求項１または２に記載の電動送風機。
【請求項４】
前記ファンカバーは、突出端に前記接合面を有するフランジ部を備え、
前記フランジ部の内面は、前記突出端に向かって滑らかに拡張する円弧形状断面を有している請求項１から３のいずれか１項に記載の電動送風機。
【発明の詳細な説明】
【技術分野】
【０００１】
本発明に係る実施形態は電動送風機に関する。
【背景技術】
【０００２】
オープン形の遠心ファンと、遠心ファンを回転駆動させる無整流子電動機と、遠心ファンから吹き出る空気を無整流子電動機へ導くディフューザーと、を備える電動送風機が知られている。
【０００３】
従来の電動送風機は、遠心ファンを覆うファンカバーと、ディフューザーを一体に有するケースと、を備えている。
【０００４】
ケースは、ディフューザーのガイドベーンを支える筒体である。ファンカバーは、ケースの開口端に嵌め込まれる突当部を備えている。ケースの開口端の内面には、ファンカバーの突当部を受ける受け面を有する切欠きが設けられている。ファンカバーの突当部とケースの切欠きとの間には、径方向隙間、および径方向隙間に繋がる軸方向隙間が形成される。これらケースの開口端の切欠き、およびこの切欠きに嵌め込まれるファンカバーの突当部が、ファンカバーとケースとを接合する継ぎ手部を構成している。継ぎ手部には接着剤が充填される。
【先行技術文献】
【特許文献】
【０００５】
【特許文献１】特開２０１８−８４１５０号公報
【発明の概要】
【発明が解決しようとする課題】
【０００６】
従来の電動送風機におけるファンカバーとケースとの継ぎ手部では、ファンカバーとケースとがそれぞれの全肉厚で重なっている。つまり、ファンカバーの突当部とケースの切欠きとが、それぞれの全肉厚で遠心ファンの径方向へ重なり合っている。
【０００７】
このような嵌合構造を有する継ぎ手部では、突当部の最小肉厚、および切欠きを有するケースの開口端の最小肉厚の制約によって、重なり部分の最小肉厚が勢い厚くなる。つまり、２つの部品が重なり合う部分の最小肉厚は、ファンカバー単体の最小肉厚とケース単体の最小肉厚との和と同程度の厚みを有することになる。なお、ファンカバーの最小肉厚や、ケースの最小肉厚は、それぞれの部品に求められる強度や成形性、成型性によって制約される。
【０００８】
ところで、ファンカバーの外径とケースの外径とは、電動送風機の外径に相当する。換言すると、電動送風機の外径は、ファンカバーの外径およびケースの外径で決まる。そのため、電動送風機を利用する装置、例えば電気掃除機において、電動送風機の外径寸法が要求される場合には、ファンカバーとケースとが重なり合う部分の肉厚は、電動送風機内部の風路断面積に影響する。つまり、電動送風機の外径が所要に定められると、ファンカバーとケースとが重なり合う部分の肉厚は、厚みを有するほど電動送風機内部の風路断面積を損ない、電動送風機の性能を低下させる。
【０００９】
そこで、本発明は、従来の電動送風機よりも内部の風路断面積を拡大させて、性能を向上させることが可能な電動送風機を提案する。
【課題を解決するための手段】
【００１０】
前記の課題を解決するため本発明の実施形態に係る電動送風機は、
【図面の簡単な説明】
【００１１】
【図１】本発明の実施形態に係る電動送風機の断面図。
【図２】本発明の実施形態に係る電動送風機の部分断面斜視図。
【図３】本実施形態に係る電動送風機のファンカバーとケースとの接着構造の第一例の断面図。
【図４】本実施形態に係る電動送風機のファンカバーとケースとの接着構造の第二例の断面図。
【図５】本実施形態に係る電動送風機のファンカバーとケースとの接着構造の第三例の断面図。
【図６】本実施形態に係る電動送風機のファンカバーとケースとの接着構造の第四例の断面図。
【発明を実施するための形態】
【００１２】
本発明に係る電動送風機の実施形態について図１から図６を参照して説明する。
【００１３】
なお、複数の図面中、同一または相当する構成には同一の符号を付している。
【００１４】
図１は、本発明の実施形態に係る電動送風機の断面図である。
【００１５】
図２は、本発明の実施形態に係る電動送風機の部分断面斜視図である。
【００１６】
図１および図２に示すように、本実施形態に係る電動送風機１は、遠心ファン２と、遠心ファン２を回転駆動させる電動機３と、遠心ファン２から吹き出る流体を電動機３へ導くディフューザー５と、遠心ファン２に繋がる吸込口６を有して遠心ファン２を覆うファンカバー７と、遠心ファン２および電動機３を支えるフレーム８と、を備えている。なお、流体は、もっぱら気体であり、空気である。
【００１７】
遠心ファン２は、例えばアルミニウム合金の成型品、または成形品である。遠心ファン２は、電動機３の出力軸に相当する軸９に回転一体に固定されている。遠心ファン２は、ディフューザー５の上流側に配置されている。
【００１８】
遠心ファン２は、ハブ１１と、ハブ１１から突出する複数の羽根１２と、を備えている。遠心ファン２は、後ろシュラウドに相当するハブを備える一方、前シュラウドを有していない。換言すると、遠心ファン２は、オープン形である。
【００１９】
ハブ１１は、流体を吸い込む中心部から流体を吹き出す外縁部へ向かって徐々に拡径する円錐台形を有している。ハブ１１の中心部には、軸９を配置する孔１３が設けられている。孔１３は、遠心ファン２の回転中心線に沿ってハブ１１を貫通している。
【００２０】
複数の羽根１２は、ハブ１１からファンカバー７の内面へ向かって延びている。複数の羽根１２は、いわゆる円形翼列である。複数の羽根１２は、ハブ１１の周方向に等間隔に配列されている。それぞれの羽根１２は、ハブ１１の中心部からハブの外縁部へ向かって徐々にファンカバー７へ向かって起立する、捻れた形状を有している。換言すると、複数の羽根１２は、前縁から後縁に掛けて翼型（ａｉｒｆｏｉｌ）または翼断面（ｗｉｎｇ  ｓｅｃｔｉｏｎ）が変化する、いわゆる３次元翼である。
【００２１】
軸９の先端部には、遠心ファン２が軸９から抜け出ることを防ぐ抜止部１５が設けられている。抜止部１５は、例えば硬化した接着剤や、軸９に設けられるねじ部に締結されるナットである。遠心ファン２が回転して電動送風機１が流体を吸い込む際、遠心ファン２には、軸９から抜け出る方向へ荷重、いわゆるスラスト荷重が作用する。抜止部１５は、遠心ファン２に作用するスラスト荷重に抗して、遠心ファン２が軸９から抜け出ることを防ぐ。
【００２２】
電動機３は、無整流子電動機であり、いわゆるＤＣブラシレスモーターである。電動機３は、ディフューザー５の下流側に配置されている。電動機３は、インナーロータータイプである。電動機３は、回転子１６と、フレーム８に固定されて回転子１６を包囲する固定子１７と、を備えている。
【００２３】
回転子１６は、軸９に回転一体に固定されている。つまり、軸９には、電動機３の回転子１６と遠心ファン２とが回転一体に固定されている。軸９は、一対の軸受１８を介してフレーム８に回転可能に支持されている。回転子１６は、一対の軸受１８の間に挟み込まれて配置されている。
【００２４】
回転子１６は、回転方向に並ぶ複数の磁極を備えている。それぞれの磁極は、少なくとも１つの永久磁石を有している。磁極の極性は、回転方向へ交互に替わる。
【００２５】
固定子１７は、回転子１６を回転させる回転磁界（回転磁場）を生じる。固定子１７は、鉄心２１と、絶縁体２２と、複数の巻線２３と、端子２５と、を備えている。
【００２６】
鉄心２１は、軸９の軸方向に積層され、かつ一体化された複数の薄板を有している。薄板は、例えば電磁鋼板である。鉄心２１は、円筒形状を有している。鉄心２１は、フレーム８に締結部材３１、例えばねじで固定されている。
【００２７】
絶縁体２２は、絶縁性を有する合成樹脂の成型品である。絶縁体２２は、鉄心２１と巻線２３との間、および鉄心２１と端子２５との間を絶縁し、かつ巻線２３および端子２５を支持している。
【００２８】
複数の巻線２３は、鉄心２１に回転磁場を形成する。複数の巻線２３は、回転子１６の回転方向へ、交互に極性の異なる磁場を生じさせる。
【００２９】
端子２５は、巻線２３のそれぞれを制御回路に電気的に接続する。
【００３０】
また、固定子１７は、センサー基板３２を備えている。センサー基板３２は、回転子１６の磁極の極性を検出することによって回転子１６の回転角度を検出する。センサー基板３２は、例えばホールＩＣを備えている。センサー基板３２は、回転子１６の後ろ側の端面、つまり遠心ファン２から遠い方の端面を臨み、回転子１６の磁石の外周に沿っている。センサー基板３２は、基板締結部材３３、例えばねじで絶縁体２２に固定されている。
【００３１】
ディフューザー５は、遠心ファン２から吹き出る流体を減速させる。ディフューザー５は、樹脂成型品または樹脂成形品であり、例えばガラス繊維を配合したＰＥＴ樹脂（Poly Ethylene Terephthalate、ポリエチレンテレフタレート樹脂）の一体成型品または一体成形品である。ディフューザー５は、筒形の外枠部３５と、外枠部３５内に同心に配置される円盤形のハブ３６と、外枠部３５とハブ３６との間に架設される複数のガイドベーン３７と、を備えている。
【００３２】
外枠部３５は、フレーム８を支持する。外枠部３５は、ディフューザー５の外郭であって、電動送風機１の外殻の一部である。外枠部３５の内面には、フレーム８の一部を嵌め込んで外枠部３５とフレーム８との位置関係を決める溝が設けられている。
【００３３】
ハブ３６の中央部には、遠心ファン２の外縁部が配置される凹部３８が設けられている。また、ハブ３６の中央部には、フレーム８の一部を嵌め込む取付開口部３９が設けられている。
【００３４】
取付開口部３９は、凹部３８を軸９の長手方向へ貫通している。取付開口部３９の近傍には複数の孔が設けられている。この孔には、ディフューザー５をフレーム８に固定する締結部材、例えばねじが挿し通される。
【００３５】
外枠部３５の内径は、ハブ３６の外径よりも大きい。つまり、外枠部３５とハブ３６との間には環状の隙間がある。環状の隙間は、遠心ファン２から吹き出る流体を電動機３へ導く。
【００３６】
複数のガイドベーン３７は、外枠部３５とハブ３６とを一体化している。複数のガイドベーン３７は、２次元翼型を有している。複数のガイドベーン３７は、周方向に間隔を隔てて設けられている。
【００３７】
なお、ディフューザー５は、複数の半径方向ガイドベーンを備えていても良い。複数の半径方向ガイドベーンは、ハブ３６の外側環状部４１に、周方向に間隔を隔てて設けられている。半径方向ガイドベーンも２次元翼型を有している。ディフューザー５に複数の半径方向ガイドベーンを設ける場合、ファンカバー７の内面には、複数の半径方向ガイドベーンに対応する複数の凹部が設けられる。半径方向ガイドベーンのそれぞれは、それぞれの凹部に突入してディフューザー５に固定される。
【００３８】
また、ディフューザー５はガイドベーンの無い、いわゆるベーンレスディフューザーであっても良い。
【００３９】
ファンカバー７は、脂成型品または樹脂成形品であり、例えばガラス繊維を配合したＰＥＴ樹脂（Poly Ethylene Terephthalate、ポリエチレンテレフタレート樹脂）の一体成型品または一体成形品である。ファンカバー７は、遠心ファン２を覆い隠してディフューザー５に接着固定される。ファンカバー７は、前シュラウドのないオープン形の遠心ファン２の複数の羽根１２に対面している。
【００４０】
ファンカバー７は、径寸法よりも軸寸法が小さく、扁平な形状を有している。ファンカバー７外径は、ディフューザー５の外枠部３５の外径と実質的に等しい。
【００４１】
ファンカバー７は、遠心ファン２およびディフューザー５の上流側を覆う壁部４５を備えている。壁部４５は、遠心ファン２へ流体を導く吸込口６を有する円筒形状の第一壁４６と、遠心ファン２の羽根１２に沿って徐々に拡がる円錐状の第二壁４７と、ディフューザー５の上流側を塞ぐ、薄い環状の第三壁４８と、を有している。
【００４２】
吸込口６は、電動送風機１の流体入口であって円形の開口である。吸込口６は、遠心ファン２の羽根１２の前縁部を臨んでいる。
【００４３】
ファンカバー７は、接着剤を硬化させた接着部５１によってディフューザー５の外枠部３５に固定されている。遠心ファン２およびディフューザー５の上流側を覆うファンカバー７によって、電動送風機１の流体入口、つまり吸込口６から流体出口、つまり複数のガイドベーン３７の後縁へ至る流路が区画されている。
【００４４】
ファンカバー７は、第二壁４７と第三壁４８との境界部から第三壁４８の外面に掛けて肉抜部５５を有している。肉抜部５５は、ファンカバー７を軽量化する。肉抜部５５は、ファンカバー７の周方向に複数設けられている。隣接する２つの肉抜部５５の間には、ファンカバー７の径方向に沿って放射状に延びるリブ部５６が設けられている。
【００４５】
フレーム８は、例えばアルミニウム合金、またはマグネシウム合金などの、軽量、かつ導電性を有する金属部材の成型品、または成形品である。フレーム８は、電動機３を収容している。フレーム８は、一対の軸受１８を介して電動機３の回転子１６を回転自在に支えている。フレーム８は、電動機３の固定子１７を支持している。フレーム８は、第一フレーム半体６１と、第二フレーム半体６２と、を備えている。フレーム８は、第一フレーム半体６１と第二フレーム半体６２とで電動機３を軸９の一方側と他方側とから挟み込んで収容している。第一フレーム半体６１と第二フレーム半体６２とは、締結部材３１、例えばねじで連結されている。
【００４６】
第一フレーム半体６１は、遠心ファン２と電動機３との間に配置されている。
【００４７】
第一フレーム半体６１は、ディフューザー５の取付開口部３９に嵌合される円筒嵌合部６３と、軸９を支える軸受１８の一方を保持する第一軸受保持部６５と、を備えている。第一フレーム半体６１は、ディフューザー５から流れ出る流体を電動機３へ導くフレーム吸気口６６を有している。第一フレーム半体６１は、締結部材３１を締め込むねじ穴６７を有している。
【００４８】
また、第一フレーム半体６１は、筒形の第二外枠部６８を備えている。第二外枠部６８は、フレーム８の外郭であって、電動送風機１の外殻の一部である。ディフューザー５の外枠部３５とフレーム８の第二外枠部６８とは、電動送風機１の筒状の外殻の一部であって、電動送風機１のケース７１である。ディフューザー５の外枠部３５とフレーム８の第二外枠部６８とは、実質的に同じ外径である。
【００４９】
なお、本実施形態に係る電動送風機１のケース７１の一部、つまり外枠部３５は、ディフューザー５に一体化されているが、外枠部３５は、ディフューザー５に一体化されていなくても良い。換言すると、電動送風機１のケース７１は、ディフューザー５に一体化されていても良いし、別体であっても良い。外枠部３５がディフューザー５から切り離されて、外枠部３５と第二外枠部６８とが一体化されたケース７１であっても良い。
【００５０】
第二フレーム半体６２は、軸９を支える軸受１８の他方を保持する第二軸受保持部７２を備えている。第二フレーム半体６２は、締結部材３１が挿し通される孔７３を有している。第二フレーム半体６２は、電動機３を冷却した流体が吹き出るフレーム排気口７５を有している。
【００５１】
電動送風機１は、例えばインバータ回路を含むドライバと、このドライバをＰＷＭ制御する制御部とを備える制御回路によって駆動される。端子２５およびセンサー基板３２が制御回路に接続される。制御回路は、ドライバによって巻線２３に流れる電流の向きや通電時間を制御することで、各巻線２３を介して固定子１７の鉄心２１に生じさせる磁極を時間毎に切り換える。
【００５２】
次いで、電動送風機１のファンカバー７とケース７１との接着構造について説明する。なお、第一例の接着構造８１、第二例の接着構造８１Ａ（以下、単に「接着構造８１Ａ」と言う。）、第三例の接着構造８１Ｂ（以下、単に「接着構造８１Ｂ」と言う。）、および第四例の接着構造８１Ｃ（以下、単に「接着構造８１Ｃ」と言う。）において、同じ構成には同一の符号を付し、重複する説明は省略する。
【００５３】
図３は、本実施形態に係る電動送風機のファンカバーとケースとの接着構造の第一例の断面図である。
【００５４】
図３に示すように、本実施形態に係る電動送風機１のファンカバー７とケース７１との第一例の接着構造８１は、ファンカバー７とケース７１とがそれぞれの全肉厚で重なることなく対面する接合面を有する第一例の継手部８２を備えている。なお、本実施形態ではケース７１は、ディフューザー５の外枠部３５に当たる。
【００５５】
つまり、ディフューザー５の外枠部３５の開口端面は、平坦な環形であり、接合面である。ファンカバー７の接合面は、ファンカバー７の第三壁４８の平坦な底面の一部である。継手部８２は、ファンカバー７の第三壁４８の底面にディフューザー５の外枠部３５の開口端面を突き合わせた構造を有している。接着固定される２つの部材、つまりファンカバー７とケース７１とが、同一平面で突き合わせられている。
【００５６】
接着部５１は、ファンカバー７をディフューザー５に接着固定する。接着部５１は、接着剤が固化したものである。接着剤は、例えば熱硬化性エポキシ樹脂である。接着部５１は、ディフューザー５とファンカバー７との隙間に充填される。つまり、接着部５１は、ディフューザー５の外枠部３５の開口端面とファンカバー７の第三壁４８の底面との隙間に充填される。接着部５１は、ディフューザー５とファンカバー７との隙間から電動送風機１の内側および外側へ食み出しても良い。
【００５７】
図４は、本実施形態に係る電動送風機のファンカバーとケースとの接着構造の第二例の断面図である。
【００５８】
図４に示すように、本実施形態に係る電動送風機１のファンカバー７とケース７１との第二例の接着構造８１Ａは、ファンカバー７の外周部に設けられる第一凹部８５と、ディフューザー５の外枠部３５の外周部に設けられて第一凹部８５に繋がる第二凹部８６と、を有する継手部８２Ａを備えている。
【００５９】
第一凹部８５および第二凹部８６は、継手部８２Ａの接着面を第一例の継手部８２の接着面よりも増大させる。なお、第一凹部８５および第二凹部８６は、ファンカバー７やディフューザー５を鋳型で成形する際に制約となる最小肉厚が、ケース７１としての機能には過大な場合に、切削加工や研磨加工によって形成される。
【００６０】
接着部５１は、ディフューザー５の外枠部３５の開口端面２３ａとファンカバー７の第三壁４８の底面との隙間に加えて、第一凹部８５および第二凹部８６に充填される。
【００６１】
図５は、本実施形態に係る電動送風機のファンカバーとケースとの接着構造の第三例の断面図である。
【００６２】
図５に示すように、本実施形態に係る電動送風機１のファンカバー７とケース７１との第三例の接着構造８１Ｂは、ディフューザー５の接合面に設けられる凹部８８と、ファンカバー７の接合面に設けられて凹部８８に組み合わされる凸部８９と、を有する継手部８２Ｂを備えている。
【００６３】
接着部５１は、ディフューザー５の外枠部３５の開口端面とファンカバー７の第三壁４８の底面との隙間に加えて、凹部８８および凸部８９との隙間に充填される。
【００６４】
なお、凹部８８および凸部８９の配置は、逆の関係であっても良い。つまり、継ぎ手部８２Ｂは、ファンカバー７の接合面に設けられる凹部８８と、ディフューザー５の接合面に設けられて凹部８８に組み合わされる凸部８９と、を備えていても良い。つまり、継ぎ手部８２Ｂは、ファンカバー７の接合面およびケース７１の接合面のいずれか一方に設けられる凹部８８と、ファンカバー７の接合面およびケース７１の接合面のいずれか他方に設けられて凹部８８に組み合わされる凸部８９と、を備えていれば良い。
【００６５】
また、凹部８８および凸部８９は、環状の接合面の全周に渡って環状に、無端状に延びていても良いし、途切れた部位を少なくとも一箇所有していても良い。途切れた部位があれば、ファンカバー７とケース７１との周方向の位置合わせが容易化される。
【００６６】
図６は、本実施形態に係る電動送風機のファンカバーとケースとの接着構造の第四例の断面図である。
【００６７】
図６に示すように、本実施形態に係る電動送風機１のファンカバー７とケース７１との第四例の接着構造８１Ｃは、ファンカバー７に設けられるフランジ部９１を備えている。フランジ部９１は、突出端にファンカバー７の接合面を有している。
【００６８】
ディフューザー５の外枠部３５の開口端面は、平坦な環形であり、接合面である。ファンカバー７の接合面は、フランジ部９１の突出端面、または開口端面である。接着構造８１Ｃの継ぎ手部８２Ｃは、ファンカバー７のフランジ部９１の開口端面にディフューザー５の外枠部３５の開口端面を突き合わせた構造を有している。接着固定される２つの部材、つまりファンカバー７とケース７１とが、同一平面で突き合わせられている。
【００６９】
フランジ部９１の内面は、突出端に向かって滑らかに拡張する円弧形状断面を有している。換言すると、電動送風機１内の流路は、遠心ファン２の径方向外側へ吹き出る空気の流れの方向を、遠心ファン２の軸方向へ円滑に変更する曲線部、いわゆる隅Ｒ部９２を有している。
【００７０】
隅Ｒ部９２は、遠心ファン２から吹き出る流体の流れの方向、つまり流線の先に配置されている。隅Ｒ部９２は、遠心ファン２から吹き出る流体の流れの向きを遠心ファン２の径方向から軸方向へ変化させて、流れを円滑にディフューザー５へ導く。
【００７１】
継手部８２、８２Ａ、８２Ｂのように、ファンカバー７の第三壁４８の平坦な面の一部を接合面に利用する場合に比べて、継手部８２Ｃは、フランジ部９１の内周面を開口端面つまり接合面へ向けて徐々に拡大することで、隅Ｒ部９２に相当する形状を容易に得ることができる。
【００７２】
本実施形態に係る電動送風機１は、ケース７１、本実施形態ではディフューザー５の外枠部３５とファンカバー７とがそれぞれの全肉厚で重なることなく対面する接合面を有する継手部８２、８２Ａ、８２Ｂ、８２Ｃと、継手部８２、８２Ａ、８２Ｂ、８２Ｃの接合面を接着する接着部５１と、を備えている。そのため、電動送風機１は、従来の電動送風機に比べて、継手部８２、８２Ａ、８２Ｂ、８２Ｃの最小肉厚を低減できる。つまり、電動送風機１は、ケース７１の外径寸法を同じと仮定したとき、従来の電動送風機に比べて電動送風機１内の流路断面積を拡大できる。したがって、電動送風機１は、従来の電動送風機に比べて性能を容易に向上できる。
【００７３】
また、本実施形態に係る電動送風機１は、ファンカバー７の外周部に設けられる第一凹部８５とケース７１の外周部に設けられて第一凹部８５に繋がる第二凹部８６とを有する継手部８２Ａと、第一凹部８５および第二凹部８６に充填される接着部５１と、を備えている。そのため、電動送風機１は、従来の電動送風機のような嵌合構造を有さずに、継手部８２Ａの接合強度を容易に向上できる。なお、継手部８２Ａにおける第一凹部８５および第二凹部８６の構成は、他の例の継手部８２Ｂ、８２Ｃにも適用できる。
【００７４】
さらに、本実施形態に係る電動送風機１は、ファンカバー７の接合面およびケース７１の接合面のいずれか一方に設けられる凹部８８と、ファンカバー７の接合面およびケース７１の接合面のいずれか他方に設けられて凹部８８に組み合わされる凸部８９と、を有する継手部８２Ｂを備えている。そのため、電動送風機１は、ファンカバー７とケース７１との位置決め（周方向の位置決め、径方向の位置決め）を容易に行うことができる。なお、継ぎ手部８２Ｂにおける凹部８８および凸部８９の構成は、他の例の継ぎ手部８２、８２Ａ、８２Ｃにも適用できる。
【００７５】
さらに、本実施形態に係る電動送風機１は、接合面を有するフランジ部９１を備えている。フランジ部９１の内面は、フランジ部９１の結合面に向かって滑らかに拡張する円弧形状断面を有している。そのため、電動送風機１は、遠心ファン２から吹き出る流体をディフューザー５へ円滑に導きくことができる。
【００７６】
したがって、本実施形態に係る電動送風機１によれば、従来の電動送風機よりも内部の風路断面積を拡大させて、性能を向上させることができる。
【００７７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７８】
１…電動送風機、２…遠心ファン、３…電動機、５…ディフューザー、６…吸込口、７…ファンカバー、８…フレーム、９…軸、１１…ハブ、１２…羽根、１３…孔、１５…抜止部、１６…回転子、１７…固定子、１８…軸受、２１…鉄心、２２…絶縁体、２３…巻線、２５…端子、３１…締結部材、３２…センサー基板、３３…基板締結部材、３５…外枠部、３６…ハブ、３７…ガイドベーン、３８…凹部、３９…取付開口部、４１…外側環状部、４５…壁部、４６…第一壁、４７…第二壁、４８…第三壁、５１…接着部、５５…肉抜部、５６…リブ部、６１…第一フレーム半体、６２…第二フレーム半体、６３…円筒嵌合部、６５…第一軸受保持部、６６…フレーム吸気口、６７…ねじ穴、６８…第二外枠部、７１…ケース、７２…第二軸受保持部、７３…孔、７５…フレーム排気口、８１、８１Ａ、８１Ｂ、８１Ｃ…接着構造、８２、８２Ａ、８２Ｂ、８２Ｃ…継手部、８５…第一凹部、８６…第二凹部、８８…凹部、８９…凸部、９１…フランジ部、９２…隅Ｒ部。
【図１】
2020169571.tif 000003
【図２】
2020169571.tif 000004
【図３】
2020169571.tif 000005
【図４】
2020169571.tif 000006
【図５】
2020169571.tif 000007
【図６】
2020169571.tif 000008